(57)【要約】【課題】電力消耗を減らして最大電力消耗領域と最大使用頻度を有する領域で最大効率を持つようにした電力増幅器を提供する。【解決手段】入力端と出力端との間の電力制御経路上に設けられて、入力マッチング及び出力マッチングを行うインピーダンスマッチング部、インピーダンスマッチング部の間に設けられたアンプ、及び外部からのアンテナの出力信号に基づいて所定の経路制御信号を生成した後、電力制御経路を制御する制御回路部を備え、電力制御経路は複数で構成し、インピーダンスマッチング部は複数の電力制御経路上に、それぞれ並列に設けられ、複数の電力制御経路中から制御回路部の経路制御信号により選択されるいずれかのインピーダンスマッチング部が設けられた電力制御経路のみが選択的に使われる。【選択図】　　　図１
2004007405.tif 000002
【特許請求の範囲】
【請求項１】
入力信号に基づいてインピーダンスマッチングする入力マッチング部と、
前記入力マッチング部から出力される信号を増幅する第１増幅手段と、
前記第１増幅手段と並列に前記入力マッチング部に電気的に接続されて前記入力マッチング部から出力される信号を増幅する第２増幅手段と、
前記第１及び第２増幅手段で増幅された信号に基づいてインピーダンスマッチングして当該信号を出力端を通じて出力する出力マッチング部と、
前記入力マッチング部と前記出力マッチング部との間を電気的に接続し、その中間に前記第１増幅手段が含まれる第１電力制御経路と、
前記入力マッチング部と前記出力マッチング部との間を電気的に接続し、その中間に前記第２増幅手段が含まれる第２電力制御経路と、
前記入力マッチング部と前記出力マッチング部との間を電気的に接続するバイパス経路と、
アンテナの出力信号に基づいて前記第１及び第２増幅手段を選択的に制御するように所定の経路制御信号を選択的に出力して、前記第１又は第２電力制御経路が選択されるように制御したりバイパス経路が選択されるように制御する制御回路部と
を含むことを特徴とする高効率電力増幅器。
【請求項２】
前記第１増幅手段は、
前記入力マッチング部から出力される信号を一次的に増幅する第１増幅器と、
前記第１増幅器から出力される信号を受信してインピーダンスマッチングを行う中間段マッチング部と、
前記中間段マッチング部からの出力信号を増幅して出力する第２増幅器とで構成され、
前記第２増幅手段は、
前記入力マッチング部から出力される信号を一次的に増幅する第３増幅器と、
前記第３増幅器から出力される信号を受信してインピーダンスマッチングを行う中間段マッチング部と、
前記中間段マッチング部からの出力信号を増幅して出力する第４増幅器とで構成されている
ことを特徴とする請求項１に記載の高効率電力増幅器。
【請求項３】
前記第１増幅手段は、
前記入力マッチング部から出力される信号を一次的に増幅する第５増幅器と、
前記第１増幅器から出力される信号を受信してインピーダンスマッチングを行う中間段マッチング部と、
前記中間段マッチング部からの出力信号を増幅して出力する第６増幅器と
で構成され、
前記第２増幅手段は第７増幅器で構成されている
ことを特徴とする請求項１に記載の高効率電力増幅器。
【請求項４】
前記制御回路部が前記増幅手段を選択的に制御する場合に、前記増幅手段に含まれる前記増幅器が、前記制御回路部の制御によってアクティブとされて動作することを特徴とする請求項２又は３に記載の高効率電力増幅器。
【請求項５】
前記第３及び第４増幅器は、前記第１増幅手段の第１及び第２増幅器よりその最大出力が小さいことを特徴とする請求項２に記載の高効率電力増幅器。
【請求項６】
前記第７増幅器は、前記第１増幅手段の第５及び第６増幅器よりその最大出力が小さいことを特徴とする請求項３に記載の高効率電力増幅器。
【請求項７】
前記第１及び第３増幅器は一次的な増幅を行うドライバー増幅器であり、前記第２及び第４増幅器は二次的な増幅を行うパワー増幅器であることを特徴とする請求項２に記載の高効率電力増幅器。
【請求項８】
前記第５増幅器は一次的な増幅を行うドライバー増幅器であり、前記第６増幅器は二次的な増幅を行うパワー増幅器であることを特徴とする請求項３に記載の高効率電力増幅器。
【請求項９】
前記第１電力制御経路及び第２電力制御経路に加えてさらに他の電力制御経路を含むことを特徴とする請求項１に記載の高効率電力増幅器。
【請求項１０】
前記制御回路部に入力されるアンテナの出力信号は２ビットの信号であり、前記制御回路部はその２ビットの外部のアンテナの出力信号を組合わせて前記一つ以上の電力制御経路の中でいずれかの電力制御経路を選択するための経路制御信号を生成して出力することを特徴とする請求項１に記載の高効率電力増幅器。
【発明の詳細な説明】
【０００１】
【発明の属する技術分野】
本発明は移動通信端末機用高効率電力増幅器に関するもので、より詳細には、電力増幅器の効率を改善することによって移動通信端末機の通話時間を増やすことができる高効率増幅器に関するものである。
【０００２】
【従来の技術】
現在、移動通信端末機用に使われている電力増幅器の効率を増大させるための方式では、動作点移動方式（ＤＣ−ＤＣコンバータ）、スイッチング方式、バイアス制御方式などを使用している。
【０００３】
この中で、動作点移動方式またはバイアス制御方式は、負荷線の連続的な変更によって電力増幅器の出力の線形性を維持するのが難しい問題点がある。また、動作点移動方式のＤＣ−ＤＣコンバーターは装置価格の上昇、及び大きさの増加等の問題点がある。このため、動作点移動方式は電力増幅器の効率を増大させるのが難しい問題点があった。
【０００４】
また、スイッチング方式を利用してインピーダンスマッチング（整合）を行う場合、スイッチによるロスが発生するだけでなく、スイッチにより整合点が移動するため、信頼性のある電力増幅器を具現するのが難しい問題点があった。なお、従来の方式による電力増幅器としては、例えば、以下に示す特許文献１に開示されているものがある。
【０００５】
前述したような従来の方式による電力増幅器は、最大出力２８ｄＢｍで最大電力付加効率（Ｐｏｗｅｒ　Ａｄｄｅｄ　Ｅｆｆｉｃｉｅｎｃｙ；　ＰＡＥ）（約３５％）を出すことができるように設計されているが、使用頻度が高い１６ｄＢｍにおける効率は約５〜７％で、入力電力の大部分が熱でロスされている実情である。前述した単位のｄＢｍは、１ミリワット当りのデシベル（ｄｅｃｉｂｅｌｓ　ａｂｏｖｅ　１ｍｉｌｌｉｗａｔｔ）の略記として、電気通信の分野に使われる電力の絶対測定単位である。０ｄＢｍは１ｍＷと相当するように目盛られている。したがって、１Ｗは３０ｄＢｍである。
【０００６】
【特許文献１】
米国特許第６３６６１７７Ｂ１号明細書
【０００７】
【発明が解決しようとする課題】
前述した従来の問題点を解決するためになされた本発明は、最大効率を出す最適化出力地点を２個所以上持つことができるように改善した高効率電力増幅器を提供することを一の目的とする。
【０００８】
本発明の他の目的は、移動通信端末機の消費電力を下げて移動通信端末機用電力増幅器の効率を高めることによって、通話時間及び連続使用時間を延ばすことができる高効率電力増幅器を提供することにある。
【０００９】
【課題を解決するための手段】
これらの目的を達成するために、本発明の一の態様に係る高効率電力増幅器は、入力信号に基づいてインピーダンスマッチングする入力マッチング部と、前記入力マッチング部から出力される信号を増幅する第１増幅手段と、前記第１増幅手段と並列に前記入力マッチング部に電気的に接続されて前記入力マッチング部から出力される信号を増幅する第２増幅手段と、前記第１及び第２増幅手段で増幅された信号に基づいてインピーダンスマッチングして当該信号を出力端を通じて出力する出力マッチング部と、前記入力マッチング部と前記出力マッチング部との間を電気的に接続し、その中間に前記第１増幅手段が含まれる第１電力制御経路と、前記入力マッチング部と前記出力マッチング部との間を電気的に接続し、その中間に前記第２増幅手段が含まれる第２電力制御経路と、前記入力マッチング部と前記出力マッチング部との間を電気的に接続するバイパス経路と、アンテナの出力信号に基づいて前記第１及び第２増幅手段を選択的に制御するように所定の経路制御信号を選択的に出力して、前記第１又は第２電力制御経路が選択されるように制御したりバイパス経路が選択されるように制御する制御回路部とを含むことを特徴とする。
【００１０】
ここで、前記第１増幅手段は、前記入力マッチング部から出力される信号を一次的に増幅する第１増幅器と、前記第１増幅器から出力される信号を受信してインピーダンスマッチングを行う中間段マッチング部と、前記中間段マッチング部からの出力信号を増幅して出力する第２増幅器とで構成されるとともに、前記第２増幅手段は、前記入力マッチング部から出力される信号を一次的に増幅する第３増幅器と、前記第３増幅器から出力される信号を受信してインピーダンスマッチングを行う中間段マッチング部と、前記中間段マッチング部からの出力信号を増幅して出力する第４増幅器とで構成されるようにすることができ、前記第１増幅手段を選択する場合には前記第１増幅手段の第１及び第２増幅器に前記所定の経路制御信号が直接出力され、前記第２増幅手段を選択する場合には前記第２増幅手段の第３及び第４増幅器に前記所定の経路制御信号が直接出力されて、第１及び第２増幅器が同時にアクティブとされたり或いは第３及び第４増幅器が同時にアクティブとされるように制御されることとなる。
【００１１】
また、前記第１増幅手段は、前記入力マッチング部から出力される信号を一次的に増幅する第５増幅器と、前記第１増幅器から出力される信号を受信してインピーダンスマッチングを行う中間段マッチング部と、前記中間段マッチング部からの出力信号を増幅して出力する第６増幅器とで構成されるとともに、前記第２増幅手段は第７増幅器で構成されるようにすることができ、前記第３増幅手段を選択した場合には、前記第３増幅手段の第５及び第６増幅器に前記所定の経路制御信号が直接出力され、前記第７増幅器を選択する場合には前記第７増幅器に前記所定の経路制御信号が直接出力されて結局第５及び第６増幅器が同時にアクティブとされたり或いは第７増幅器がアクティブとされるように制御されることとなる。
【００１２】
本発明に係る高効率電力増幅器のインピーダンスマッチング方法は、従来のスイッチング方式による問題点を改善したもので、アンテナの出力信号に基づいたインピーダンスマッチングを選択的に行うことで、従来のスイッチング方式と同様の効果が得られるようにしたことにその特徴がある。
【００１３】
【発明の実施の形態】
以下、添付図面を参照して本発明の実施形態に係る高効率電力増幅器について説明する。
まず、電力増幅器の電力付加効率（ＰＡＥ）は、”ＰＡＥ（％）＝（出力ＲＦ電力−入力ＲＦ電力）／入力ＤＣ電力×１００”で求めることができる。ここで、入力と出力のＲＦ電力が一定の時、電力付加効率は入力ＤＣ電力が小さい場合に大きくなる。本発明は、このような原理を利用する。すなわち、入力に応じて電力消耗（最大出力）が大きい素子（増幅器）と小さな素子（増幅器）とを選択的に動作させるように制御することによって、スマート電力増幅器のようにバイアス電圧が調節され、入力ＤＣ電力が小さな場合において電力付加効率を大きくすることが可能となる。
【００１４】
図１は本発明の第１実施形態に係る電力増幅器の構成図である。この電力増幅器は、所定の入力信号が入力されると、後段とのインピーダンスマッチングを行う入力マッチング部１２、この入力マッチング部１２に電気的に接続されて入力マッチング部１２から出力される信号を増幅する第１増幅手段２０、この第１増幅手段２０と並列に入力マッチング部１２に電気的に接続されて入力マッチング部１２から出力される信号を増幅する第２増幅手段３０、これらの第１又は第２増幅手段２０、３０で増幅された信号をインピーダンスマッチングして出力端を通じて出力する出力マッチング部１６、入力マッチング部１２と出力マッチング部１６との間を電気的に接続し、その中間に第１増幅手段２０が含まれる第１電力制御経路Ａ、入力マッチング部１２と出力マッチング部１６との間を電気的に接続し、その中間に第２増幅手段３０が含まれる第２電力制御経路Ｂ、入力マッチング部１２と出力マッチング部１６との間を電気的に接続するバイパス経路Ｃ、所定の制御モジュール（例えば、Ｍｏｂｉｌｅ　Ｓｔａｔｉｏｎ　Ｍｏｄｅｍ；　ＭＳＭ）（不図示）から出力されて印加されるアンテナの出力信号に基づいて第１及び第２増幅手段２０、３０を選択的に制御するように所定の経路制御信号Ｃ１、Ｃ２を選択的に出力して第１及び第２電力制御経路Ａ、Ｂを選択したり或いはバイパス経路Ｃが選択されるように制御する制御回路部１０で構成される。
【００１５】
第１増幅手段２０は、入力マッチング部１２から出力される信号を一次的に増幅する第１増幅器２２０、この第１増幅器２２０から出力される信号を受信してインピーダンスマッチングを行う中間段マッチング部２３０、この中間段マッチング部２３０からの出力信号を増幅して出力する第２増幅器２４０で構成される。第１増幅器２２０はドライバー増幅器であり、第２増幅器２４０はパワー増幅器として二次的な増幅を行う増幅器である。
【００１６】
また、第２増幅手段２０は、入力マッチング部１２に出力される信号を一次的に増幅し、第１増幅器２２０と並列に接続された第３増幅器３２０、この第３増幅器３２０から出力される信号を受信してインピーダンスマッチングを行う中間段マッチング部３３０、この中間段マッチング部３３０からの出力信号を増幅して出力する第４増幅器３４０で構成される。ここで、第３増幅器３２０はドライバー増幅器であり、第４増幅器３４０はパワー増幅器として二次的な増幅を行う増幅器である。
【００１７】
前述したように、本発明の第１実施形態においては、入力マッチング部１２→第１増幅手段２０→出力マッチング部１６の経路を最大電力消耗領域に対応する第１電力制御経路Ａとし、入力マッチング部１２→第２増幅手段３０→出力マッチング部１６の経路を最大使用頻度領域に対応する第２電力制御経路Ｂとし、入力マッチング部１２→出力マッチング部１６の経路をバイパス経路Ｃとする。本発明の第１実施形態においては、電力制御経路Ａ、Ｂを２つに構成したが、３つ以上に構成してもいい。
【００１８】
そして、最大使用頻度領域に対応する第２電力制御経路Ｂ上の素子（すなわち、第３及び第４増幅器３２０、３４０）は、最大電力消耗領域に対応する第１電力制御経路Ａ上の素子（すなわち、第１及び第２増幅器２２０、２４０）より電力消耗が小さい。
【００１９】
また、制御回路部１０には、例えばＭＳＭ（不図示）などのような制御素子からの信号ＰＡ−ＯＮ、ＧＰＩＯ１、及びＧＰＩＯ２が入力される。ここで、ＰＡ−ＯＮは電力増幅器の動作をオンさせる信号であり、制御回路部１０は２ビットの外部信号ＧＰＩＯ１、ＧＰＩＯ２を組合わせて経路制御信号Ｃ１、Ｃ２を生成する。例えば、ＧＰＩＯ１及びＧＰＩＯ２の信号の両方がハイレベル（例えば、”１”）に該当する信号であれば、制御回路部１０は経路制御信号Ｃ１をアクティブにして最大電力消耗領域に対応する第１電力制御経路Ａを選択し、ＧＰＩＯ１の信号がハイレベルでＧＰＩＯ２の信号がローレベル（例えば、”０”）の信号であるか、またはＧＰＩＯ１の信号がローレベルでＧＰＩＯ２の信号がハイレベルの信号であれば、制御回路部１０は経路制御信号Ｃ２を出力して最大使用頻度領域に対応する第２電力制御経路Ｂを選択し、ＧＰＩＯ１及びＧＰＩＯ２の信号の両方がローレベル（例えば、”０”）に該当する信号であれば、制御部１０は何らの経路制御信号を出力しないので、（すなわち、第１及び第２増幅手段２０、３０の両方がイナクティブにされる）結局バイパス経路Ｃが選択されるようになり、それによって入力マッチング部１２の出力信号は自動的にバイパス経路Ｃで選択されて出力マッチング部１６に出力される。
【００２０】
一方、本発明の第１実施形態においては、制御回路部１０が２ビットの経路制御信号Ｃ１、Ｃ２を生成する構成を例示したが、経路制御信号のビット数は２ビット以上の構成でもいい。
【００２１】
次に、本発明の第１実施形態に係る電力増幅器の動作について説明する。
制御回路部１０に入力される制御モジュールＭＳＭ（不図示）などからのアンテナの出力信号が高出力を意味する信号（例えば、ＧＰＩＯ１及びＧＰＩＯ２の両方が１の場合）であれば、制御回路部１０はＣ１という経路制御信号を最大電力消耗領域に対応する第１電力制御経路Ａ上の第１増幅手段２０に出力する。それによって、入力マッチング部１２に入力された入力信号は最大電力消耗領域に対応する第１電力制御経路Ａを介して出力マッチング部１６を通じて出力される。ここで、第１電力制御経路Ａが選択された場合には、第２電力制御経路Ｂ及びバイパス経路Ｃは入出力マッチングの一部で使われる。
【００２２】
これを詳説すれば、経路制御信号Ｃ１は第１増幅手段２０の第１及び第２増幅器２２０、２４０に出力されてそれぞれの増幅器２２０、２４０をアクティブにすることによって、結局第１電力制御経路Ａを介して入力マッチング部１２の出力信号が増幅されて伝送されるようになる。
【００２３】
一方、制御回路部１０に入力される制御モジュールＭＳＭ（不図示）などからのアンテナの出力信号が中出力を意味する信号（例えば、ＧＰＩＯ１及びＧＰＩＯ２が相反するレベルの信号（１、０または０、１）の場合）であれば、制御回路部１０はＣ２という経路制御信号を最大使用頻度領域に対応する第２電力制御経路Ｂの第２増幅手段３０に出力する。それによって、入力マッチング部１２に入力された入力信号はその最大使用頻度領域に対応する第２電力制御経路Ｂを介して出力マッチング部１６を通じて出力される。ここで、第２電力制御経路Ｂが選択された場合には、第１電力制御経路Ａ及びバイパス経路Ｃは入出力マッチングの一部で使われる。
【００２４】
これを詳説すれば、経路制御信号Ｃ２は第２増幅手段３０の第３及び第４増幅器３２０、３４０に出力されて、それぞれの増幅器３２０、３４０をアクティブにすることによって、結局第２電力制御経路Ｂを介して入力マッチング部１２の出力信号が増幅されて伝送される。
【００２５】
最後に、制御回路部１０に入力される制御モジュールＭＳＭ（不図示）などからのアンテナの出力信号が低出力を意味する信号（例えば、ＧＰＩＯ１及びＧＰＩＯ２の両方が０の場合）であれば、制御回路部１０によりそのＣ１及びＣ２の経路制御信号が出力されないことによって、第１及び第２増幅手段２０、３０がイナクティブになって、結局入力マッチング部１２を介して出力された信号はバイパス経路Ｃに沿って出力マッチング部１６を通じて出力される。
ここで、制御回路部１０における組合わせは、１１、１０、０１、００の４つの信号を自由に変更して行うことができる。
【００２６】
このように動作する本発明の第１実施形態に係る電力増幅器の効率は、図２に例示したように最大出力と中間出力で最大効率を持つようになる。それによって、従来の電力増幅器に比べて顕著に増加した効率特性を現す。図２において、矢印”既存ＰＡ”にて示される効率特性は従来の電力増幅器の最大出力での最大効率を表し、矢印”Ｔ−ＰＡ”にて示される効率特性は本発明の第１実施形態に係る電力増幅器の最大出力及び中間出力での最大効率を表す。また、図２の原点附近は、バイパス経路に沿って伝送される場合であり、アンテナの出力信号が低出力のために入力ＤＣ電力が小さく、効率を８０％以上とすることができる。
【００２７】
図３は本発明の第２実施形態に係る電力増幅器の構成図として、以下の点を除いて前述した図１における構成に似ている。
すなわち、本発明の第１実施形態においては、制御回路部１０が電力制御経路Ａ、Ｂの第１及び第２増幅手段２０、３０、すなわち第１ないし第４増幅器２２０、２４０、３２０、３４０で経路制御信号Ｃ１、Ｃ２を出力する構成であるが、図３の第２実施形態においては、制御回路部１０が第３増幅手段４０の第５及び第６増幅器４２０、４４０と第７増幅器４２で経路制御信号Ｃ１、Ｃ２を伝送する構成である点で差がある。そして、本発明の第１実施形態においては、第１電力制御経路Ａ及び第２電力制御経路Ｂの両方が増幅器と中間段マッチング部からなったが、図３の第２実施形態においては、第１電力制御経路Ａ（すなわち、最大電力消耗領域に対応する電力制御経路）にのみ第５及び第６増幅器４２０、４４０及び中間段マッチング部４３０が設けられ、第２電力制御経路Ｂ（すなわち、最大使用頻度領域に対応する電力制御経路）には第７増幅器４２のみが設けられる。そして、図３のバイパス経路Ｃは図１のバイパス経路Ｃと同様の機能を行う。
【００２８】
第５増幅器４２０はドライバー増幅器であり、第６増幅器４４０はパワー増幅器として二次的な増幅を行う増幅器である。
【００２９】
図３に示す構成の電力増幅器についての動作は、前述した図１に示す構成の電力増幅器の動作と同様であるので、その説明は省略する。
【００３０】
図４は本発明の第３実施形態に係る電力増幅器の構成図として、以下の点を除いて前述した図１及び図３における構成に似ている。
【００３１】
すなわち、本発明の第１実施形態においては、制御回路部１０が電力制御経路Ａ、Ｂの第１及び第２増幅手段２０、３０、すなわち第１ないし第４増幅器２２０、２４０、３２０、３４０で経路制御信号Ｃ１、Ｃ２を出力して、図３の第２実施形態においては、電力制御経路Ａ、Ｂの第３増幅手段４０と第７増幅器４２、すなわち第５ないし第７増幅器４２０、４４０、４２で経路制御信号Ｃ１、Ｃ２を出力する構成であるが、図４の第３実施形態においては、制御回路部１０が入力マッチング部５２と出力マッチング部５６との間に接続した第４増幅手段５０と第１０増幅器６２に所定の経路制御信号Ｃ１、Ｃ２を伝送する構成である点で差がある。具体的には、図４の第３実施形態においては、全体的にその構成が第１及び第２実施形態とは以下のような点で差がある。
【００３２】
すなわち、本発明の第３実施形態に係る電力増幅器は、所定の入力信号が入力されると、後段とのインピーダンスマッチングを行う入力マッチング部５２、入力マッチング部５２にその入力端が電気的に接続されて入力マッチング部５２から出力される信号を増幅する第４増幅手段５０、この実施形態における第４増幅手段５０は、入力マッチング部５２の出力信号を一次的に増幅する第８増幅器５２０、この第８増幅器５２０の出力端にその入力端が電気的に接続されて第８増幅器５２０から出力された信号をマッチングする中間段マッチング部５３０、及びこの中間段マッチング部５３０に電気的に接続されて中間段マッチング部５３０から出力される信号を増幅する第９増幅器５４０で構成され、第４増幅手段５０の第９増幅器５４０と並列に中間段マッチング部５３０に電気的に接続されて中間段マッチング部５３０から出力される信号を増幅する第１０増幅器６２、第９及び第１０増幅器５４０、６２から出力される信号をインピーダンスマッチングして出力端を通じて出力する出力マッチング部５６、中間段マッチング部５３０と出力マッチング部５６との間を電気的に接続し、その中間に第９増幅器５４０を含む第１電力制御経路Ａ、中間段マッチング部５３０と出力マッチング部５６との間を電気的に接続し、その中間に第１０増幅器６２が含まれる第２電力制御経路Ｂ、中間段マッチング部５３０と出力マッチング部５６との間を電気的に接続するバイパス経路Ｃ、所定の制御モジュール（例えば、ＭＳＭなど）（不図示）から出力されて印加されるアンテナの出力信号に基づいて第９及び第１０増幅器５４０、６２を選択的に制御するように所定の経路制御信号Ｃ１、Ｃ２を選択的に出力して第１及び第２電力制御経路Ａ、Ｂを選択したり或いはバイパス経路Ｃが選択されるように制御する制御回路部１０で構成される。
【００３３】
図４に示す構成の電力増幅器についての動作もやはり、前述した図１及び図３に示す構成の電力増幅器の動作と同様であるので、その説明は省略する。
【００３４】
以上のように、本発明にの実施形態に係る高効率電力増幅器によれば、スイッチングにより発生するロス（通常０．５ｄＢ以上）をなくして電力消耗を減らし、電力増幅器の効率を高めることができ、スイッチが含まれることによって発生する電力増幅器の不安定性を改善することができる。
特に、最大効率を出すことができる最適化地点を複数（すなわち、最大消耗領域及び最大使用頻度領域）確保することによって、電力増幅器の効率を極大化させ、それによって、移動通信端末機の消費電力を最大５０％以上に下げることができるので、移動通信端末機の低消費電力化を達成することができる。
また、移動通信端末機の通話時間を最大４倍まで延ばすことができることがある。
【００３５】
【発明の効果】
本発明によれば、移動通信端末機の通話時間を延ばすための高効率電力増幅器を提供することができ、電力増幅を必要とするシステムで電力増幅の効率を高めるための方法を提供することによって、低消費電力を必要とする移動通信用端末機の種々のシステムに適用することができる。
【００３６】
なお、本発明は前述した実施形態に限定されるものではなく、本発明の要旨を逸脱しない範囲内で多様な修正及び変形が実施でき、そのような修正及び変形が加えられた技術思想もやはり本発明の特許請求の範囲に属すると見なすべきである。
【図面の簡単な説明】
【図１】図１は本発明の第１実施形態に係る高効率電力増幅器の構成図である。
【図２】図２は図１の高効率電力増幅器の効率を説明するグラフである。
【図３】図３は本発明の第２実施形態に係る高効率電力増幅器の構成図である。
【図４】図４は本発明の第３実施形態に係る高効率電力増幅器の構成図である。
【符号の説明】
１０　制御回路部
１２　３２　５２　入力マッチング部
２０　第１増幅手段
２２０　第１増幅器　２３０　中間段マッチング部　２４０　第２増幅器
１６　３６　５６　出力マッチング部
３０　第２増幅手段
３２０　第３増幅器　３３０　中間段マッチング部　３４０　第４増幅器
４０　第３増幅手段
４２０　第５増幅器　４３０　中間段マッチング部　４４０　第６増幅器
４２　第７増幅器
５０　第４増幅手段
５２０　第８増幅器　５３０　中間段マッチング部　５４０　第９増幅器
６２　第１０増幅器
【図１】
2004007405.tif 000003
【図２】
2004007405.tif 000004
【図３】
2004007405.tif 000005
【図４】
2004007405.tif 000006